(57)【特許請求の範囲】
【請求項１】
昇降路内の乗かごを上下方向に案内するかご側ガイドレールと、
前記昇降路内の釣合おもりを上下方向に案内するおもり側ガイドレールと、
前記乗かごの運転を制御する制御盤と、
この制御盤を前記乗かごと前記昇降路の壁面との間に固定する制御盤固定手段とを備え、
前記制御盤固定手段は、
前記かご側ガイドレールに片持ち支持された上側取付ブラケットと、
この上側取付ブラケットの下側にあって、前記かご側ガイドレールに片持ち支持された下側取付ブラケットと、
前記下側取付ブラケットの前記かご側ガイドレールとは反対側の先端部と前記上側取付ブラケットの前記かご側ガイドレールとは反対側の先端部とを連結するつなぎ材と、
このつなぎ材の中間部と前記おもり側ガイドレールとに固定された振れ止めブラケットとを有し、
前記制御盤の上部は、前記かご側ガイドレールと前記つなぎ材との間において前記上側取付ブラケットに支持され、前記制御盤の下部は、前記かご側ガイドレールと前記つなぎ材との間において前記下側取付ブラケットに支持されることを特徴とするエレベータ装置。
【請求項２】
前記釣合おもりは、前記昇降路の側面側の壁面に沿って配置され、
前記振れ止めブラケットは、前記昇降路の背面側の壁面に沿って配置されていることを特徴とする請求項１に記載のエレベータ装置。
【請求項３】
昇降路内の乗かごを上下方向に案内するかご側ガイドレールと、
前記昇降路内の釣合おもりを上下方向に案内するおもり側ガイドレールと、
前記乗かごの運転を制御する制御盤と、
この制御盤を前記の乗かごと前記昇降路の壁面との間に固定する制御盤固定手段とを備え、
前記制御盤固定手段は、
前記かご側ガイドレールに片持ち支持された上側取付ブラケットと、
この上側取付ブラケットの下側にあって、前記かご側ガイドレールに片持ち支持された下側取付ブラケットと、
前記上側取付ブラケットの前記かご側ガイドレールとは反対側の先端部と前記おもり側ガイドレールとを連結する上側振れ止めブラケットと、
前記下側取付ブラケットの前記かご側ガイドレールとは反対側の先端部と前記おもり側ガイドレールとを連結する下側振れ止めブラケットとを有し、
前記制御板の上部は、前記かご側ガイドレールと前記上側振れ止めブラケットとの間において前記上側取付ブラケットに支持され、前記制御盤の下部は、前記かご側ガイドレールと前記下側振れ止めブラケットとの間において前記下側取付ブラケットに支持されることを特徴とするエレベータ装置。
【請求項４】
前記釣合おもりは、前記昇降路の側面側の壁面に沿って配置され、
前記上側振れ止めブラケット及び前記下側振れ止めブラケットは、前記昇降路の背面側の壁面に沿って配置されていることを特徴とする請求項３に記載のエレベータ装置。
【請求項５】
前記乗かごには、前記昇降路の背面側の壁面に向かって突出し、また横幅が乗かごよりも小さいトランクルームが連設されており、
前記制御盤は、前記トランクルームの側面と前記昇降路の側面側の壁面との間に配置されていることを特徴とする請求項１〜４の何れか１項に記載のエレベータ装置。
【発明の詳細な説明】
【技術分野】
【０００１】
この発明は、乗かごの運転を制御する制御盤が昇降路内に配置されたエレベータ装置に関する。
【背景技術】
【０００２】
一般的に制御盤は冠水対策を目的として、ピット面には配置されず、建物の１階よりも高い位置に配置する。この場合、昇降路の平面寸法を広げないようにするため、乗かごの側面側のガイドレールを設置するためのスペースに制御盤を配置するのが一般的である。
しかしながら、制御盤の厚さ寸法によっては、昇降路平面寸法を決定する因子がガイドレールではなく制御盤の厚さ寸法になる。
制御盤を固定する方式としては、昇降路側面壁にアンカーボルトなどで直接固定する方式や、レールに取り付けられたブラケットに固定し、制御盤の自重や地震時に作用する水平荷重を片持ち梁で支える方式（例えば特許文献１）が知られている。
また、昇降路平面寸法を広げないように、乗かごに乗かごよりも高さの低いトランクルームが設けられたエレベータ装置では、制御盤の最下面が最下階に停止した乗かごの上面よりも上方に位置するように、制御盤を昇降路の壁に固定する方式（例えば特許文献２）も知られている。
【先行技術文献】
【特許文献】
【０００３】
【特許文献１】特開２００３-２０１７１号公報
【特許文献２】特開２０１０-２０８７６４号公報
【発明の概要】
【発明が解決しようとする課題】
【０００４】
しかしながら、昇降路の側面壁にアンカーボルトなどで直接固定する従来方式は、複数台併設エレベータや柔構造などで側面壁に直接アンカーボルトが施工できない場合には採用が困難であるという問題点があった。
また、上記特許文献１に示す方式では、制御盤がかご側ガイドレール近傍に配置できる場合は簡素なブラケットで構成できるが、制御盤がかご側ガイドレールから離れた位置にしか配置できない場合は、ブラケットの剛性アップが必要になるためにコストが高くなり、またブラケットの厚みの増大により昇降路平面寸法が広がるといった問題点があった。
また、上記特許文献２に示す方式では、トランクルームの上に制御盤を配置するレイアウトでしか適用できないため、制御盤をピット付近には配置できない等のレイアウト上の問題点があった。
【０００５】
この発明は、かかる問題点を解決することを課題とするものであって、制御盤を昇降路の側面壁に固定することなく、またかご側ガイドレールから離れた位置に制御盤が配置された場合でも、ブラケットの厚みが増大して昇降路平面寸法が拡がるといったこともなく、また制御盤をピット付近にも配置できる等のエレベータ装置を得ることを目的とする。
【課題を解決するための手段】
【０００６】
この発明に係るエレベータ装置は、昇降路内の乗かごを上下方向に案内するかご側ガイドレールと、
前記昇降路内の釣合おもりを上下方向に案内するおもり側ガイドレールと、
前記乗かごの運転を制御する制御盤と、
この制御盤を前記乗かごと前記昇降路の壁面との間に固定する制御盤固定手段とを備え、
前記制御盤固定手段は、
前記かご側ガイドレールに片持ち支持された上側取付ブラケットと、
この上側取付ブラケットの下側にあって、前記かご側ガイドレールに片持ち支持された下側取付ブラケットと、
前記下側取付ブラケットの前記かご側ガイドレールとは反対側の先端部と前記上側取付ブラケットの前記かご側ガイドレールとは反対側の先端部とを連結するつなぎ材と、
このつなぎ材の中間部と前記おもり側ガイドレールとに固定された振れ止めブラケットとを有し、
前記制御盤の上部は、前記かご側ガイドレールと前記つなぎ材との間において前記上側取付ブラケットに支持され、前記制御盤の下部は、前記かご側ガイドレールと前記つなぎ材との間において前記下側取付ブラケットに支持される。
【０００７】
また、この発明に係るエレベータ装置は、昇降路内の乗かごを上下方向に案内するかご側ガイドレールと、
前記昇降路内の釣合おもりを上下方向に案内するおもり側ガイドレールと、
前記乗かごの運転を制御する制御盤と、
この制御盤を前記の乗かごと前記昇降路の壁面との間に固定する制御盤固定手段とを備え、
前記制御盤固定手段は、
前記かご側ガイドレールに片持ち支持された上側取付ブラケットと、
この上側取付ブラケットの下側にあって、前記かご側ガイドレールに片持ち支持された下側取付ブラケットと、
前記上側取付ブラケットの前記かご側ガイドレールとは反対側の先端部と前記おもり側ガイドレールとを連結する上側振れ止めブラケットと、
前記下側取付ブラケットの前記かご側ガイドレールとは反対側の先端部と前記おもり側ガイドレールとを連結する下側振れ止めブラケットとを有し、
前記制御板の上部は、前記かご側ガイドレールと前記上側振れ止めブラケットとの間において前記上側取付ブラケットに支持され、前記制御盤の下部は、前記かご側ガイドレールと前記下側振れ止めブラケットとの間において前記下側取付ブラケットに支持されることを特徴とするエレベータ装置。
【発明の効果】
【０００８】
この発明のエレベータ装置によれば、制御盤は、上側取付ブラケット、下側取付ブラケット、つなぎ材及び振れ止めブラケットを介在して、かご側ガイドレールと、おもり側ガイドレールとの両持ち構造で支持されているので、各介在部材の肉厚を小さく、軽量化しても安定して制御盤を支持することができる。
従って、制御盤がかご側ガイドレール及びおもり側ガイドレールから離れたレイアウトでも、昇降路平面寸法が拡大することはない。
また、制御盤は、つなぎ材及び振れ止めブラケットにより、地震時の水平荷重の耐強度の向上に加えて、耐振強度も向上する。
また、制御盤及び制御盤固定手段は、乗かごと昇降路の壁面との間に設けられているので、制御盤は、昇降路のどの高さ位置でも配置可能である。
【０００９】
また、この発明のエレベータ装置によれば、制御盤は、上側取付ブラケット、下側取付ブラケット、上側振れ止めブラケット及び下側振れ止めブラケットを介在して、かご側ガイドレールと、おもり側ガイドレールとの両持ち構造で支持されているので、各介在部材の肉厚を小さく、軽量化しても安定して制御盤を支持することができる。
従って、制御盤がかご側ガイドレール及びおもり側ガイドレールから離れたレイアウトでも、昇降路平面寸法が拡大することはない。
また、制御盤は、上側振れ止めブラケット及び下側振れ止めブラケットにより、地震時の水平荷重の耐強度の向上に加えて、耐振強度も向上する。
また、制御盤及び制御盤固定手段は、乗かごと昇降路の壁面との間に設けられているので、制御盤は、昇降路のどの高さ位置でも配置可能である。
【図面の簡単な説明】
【００１０】
【図１】この発明の実施の形態１によるエレベータ装置を示す斜視図である。但し、制御盤固定手段は省略されている。
【図２】図１の平面図（含む制御盤固定手段）である。
【図３】図２の左側面図である。
【図４】この発明の実施の形態２によるエレベータ装置を示す要部平面図である。
【図５】図４の左側面図である。
【発明を実施するための形態】
【００１１】
以下、この発明の各実施の形態について説明するが、各図において、同一または相当部材については同一符号を付して説明する。
【００１２】
実施の形態１．
図１はこの発明の実施の形態１によるエレベータ装置を示す斜視図、図２は図１の平面図（含む制御盤固定手段）、図３は図２の左側面図である。
なお、図１では制御盤固定手段は省略されており、図３では乗かご１及び釣合おもり２は、昇降路１１の上方にあり、図示されていない。
【００１３】
かご１及び釣合おもり２は、懸架手段であるロープ３により昇降路１１内に吊り下げられている。
昇降路１１内の下部には、かご１及び釣合おもり２を昇降させる巻上機４が設置されている。巻上機４は、ロープ３が巻き掛けられた駆動シーブ５を有している。
【００１４】
かご１の下部には、一対のかご吊り車６ａ，６ｂが設けられている。釣合おもり２の上部には、釣合おもり吊り車７が設けられている。昇降路１１の上部には、かご返し車８及び釣合おもり返し車９が設けられている。ロープ３の一端部は、昇降路１１の上部に設けられた第１の綱止め１０ａに接続されている。ロープ３の他端部は、昇降路１１の上部に設けられた第２の綱止め１０ｂに接続されている。
【００１５】
ロープ３は、一端部側から順に、かご吊り車６ａ，６ｂ、かご返し車８、駆動シーブ５、釣合おもり返し車９及び釣合おもり吊り車７に巻き掛けられている。
即ち、かご１及び釣合おもり２は、２：１ローピング方式により昇降路１１内に吊り下げられており、かご１は、一対のかご側ガイドレール１２ａ，１２ｂに案内されて昇降し、釣合おもり２は、一対のおもり側ガイドレール１３ａ，１３ｂに案内されて昇降する。
【００１６】
乗かご１の奥側にはトランクルーム１４が設けられている。このトランクルーム１４の横幅（かごの戸側から視て左右方向）は、図２から分かるように乗かご１の横幅よりも小さい。このトランクルーム１４の側面側と昇降路１１の側面側の側面側昇降路壁１６との間には、巻上機４への給電及び巻上機４の動作の制御を行う制御盤１５が設けられている。この制御盤１５は、エレベータ装置のほぼ一階床の高さに配置されている。
【００１７】
この制御盤１５は、トランクルーム１４の側面側と側面側昇降路壁１６との間に制御盤固定手段により固定されている。
制御盤１５は、一端部がかご側ガイドレール１２ａに固定され先端部が背面側昇降路壁１８に延びた上側取付ブラケット１７の先端部を除く他端部と、この上側取付ブラケット１７の下側であって、一端部がかご側ガイドレール１２ａに固定され先端部が背面側昇降路壁１８に延びた下側取付ブラケット１９の先端部を除く他端部で、上下が固定されている。
上側取付ブラケット１７の先端部と、下側取付ブラケット１９の先端部とはつなぎ材２０で連結されている。
つなぎ材２０の中間部には、振れ止めブラケット２１の基端部が固定されている。この振れ止めブラケット２１の先端部は、背面側昇降路壁１８とトランクルーム１４との間を通過し、おもり側ガイドレール１３ａに固定されている。
なお、上側取付ブラケット１７、下側取付ブラケット１９、つなぎ材２０及び振れ止めブラケット２１により、制御盤１５を固定する制御盤固定手段を構成している。
【００１８】
この実施の形態によるエレベータ装置によれば、制御盤１５は、上側取付ブラケット１７、下側取付ブラケット１９、つなぎ材２０及び振れ止めブラケット２１を介在して、かご側ガイドレール１２ａと、おもり側ガイドレール１３ａとの両持ち構造で支持されているので、各介在部材の肉厚を小さく、軽量化しても安定して制御盤１５を支持することができる。
従って、制御盤１５がかご側ガイドレール１２ａ及びおもり側ガイドレール１３ａから離れたレイアウトでも、昇降路平面寸法が拡大することはない。
【００１９】
また、制御盤１５は、トランクルーム１４の側面と側面側昇降路壁１６との間の空間に配置されているので、制御盤１５用のスペースを確保するために昇降路平面寸法が拡大することはない。
また、制御盤１５及び制御盤固定手段は、乗かごと昇降路の壁面との間に設けられているので、制御盤１５は、昇降路１１のどの高さ位置でも配置可能である。
また、制御盤１５とかご側ガイドレール１２ａとの間であって側面側昇降路壁１６に沿った空間に、制御盤１５以外の機器を配置することができる。
【００２０】
また、つなぎ材２０の中間部に一端部が固定された振れ止めブラケット２１の他端部がおもり側ガイドレール１３ａに固定されているので、制御盤１５は、地震時の水平荷重の耐強度の向上に加えて、耐振強度も向上する。
【００２１】
実施の形態２．
図４はこの発明の実施の形態２によるエレベータ装置を示す要部平面図、図５は図４の左側面図である。
この実施の形態では、上側取付ブラケット１７の先端部に上側振れ止めブラケット２２の一端部が固定されている。この上側振れ止めブラケット２２の先端部は、背面側昇降路壁１８とトランクルーム１４との間を通過し、おもり側ガイドレール１３ａに固定されている。
また、下側取付ブラケット１９の先端部に下側振れ止めブラケット２３の一端部が固定されている。この下側振れ止めブラケット２３の先端部は、背面側昇降路壁１８とトランクルーム１４との間を通過し、おもり側ガイドレール１３ａに固定されている。
この実施の形態では、制御盤固定手段は、上側取付ブラケット１７、下側取付ブラケット１９、上側振れ止めブラケット２２及び下側振れ止めブラケット２３で構成されている。
他の構成は、実施の形態１のエレベータ装置と同一である。
【００２２】
この実施の形態では、実施の形態１のエレベータ装置のつなぎ材２０及び振れ止めブラケット２１の代りに、上側振れ止めブラケット２２及び下側振れ止めブラケット２３が用いられている。
実施の形態１のエレベータ装置では、振れ止めブラケット２１がおもり側ガイドレール１３ａに固定されているのに対して、この実施の形態のエレベータ装置では、上側振れ止めブラケット２２及び下側振れ止めブラケット２３がおもり側ガイドレール１３ａに固定されている。即ち、実施の形態１の制御盤１５は、おもり側ガイドレール１３ａには一点で支持されているのに対して、この実施の形態の制御盤１５は、おもり側ガイドレール１３ａには二点で支持されている。
従って、この実施の形態２のエレベータ装置は、実施の形態１のものと比較して、地震時の水平荷重の耐強度、耐振強度が大きい利点がある。
他は、実施の形態１のエレベータ装置と同様の効果を得ることができる。
【００２３】
なお、上記各実施の形態では、釣合おもり２は、昇降路１１の側面側昇降路壁１６に沿って配置されたエレベータ装置について説明したが、この発明は、釣合おもりが、例えば昇降路の背面側昇降路壁側に配置したエレベータ装置にも適用できる。
【符号の説明】
【００２４】
１  乗かご、２  釣合おもり、３  ロープ（懸架手段）、４  巻上機、５  駆動シーブ、６ａ，６ｂ  かご吊り車、７  釣合おもり吊り車、８  かご返し車、９  釣合おもり返し車、１０ａ  第１の綱止め、１０ｂ  第２の綱止め、１１  昇降路、１２ａ，１２ｂ  かご側ガイドレール、１３ａ，１３ｂ  おもり側ガイドレール、１４  トランクルーム、１５  制御盤、１６  側面側昇降路壁、１７  上側取付ブラケット、１８  背面側昇降路壁、１９  下側取付ブラケット、２０  つなぎ材、２１  振れ止めブラケット、２２  上側振れ止めブラケット、２３  下側振れ止めブラケット。
【図１】
0005665666.tif 000002
【図２】
0005665666.tif 000003
【図３】
0005665666.tif 000004
【図４】
0005665666.tif 000005
【図５】
0005665666.tif 000006